(57)【特許請求の範囲】
【請求項１】
円筒状本体にゴルフクラブのグリップを挿入し、前記円筒状本体の長さ方向２カ所に設けた第１および第２のチャック部で前記グリップを保持するゴルフ試打装置のグリップ構造であって、
前記円筒状本体は、中心に前記グリップが抜き差し可能な挿入孔を有すると共に、この挿入孔の入口側、およびその後端側の外周面２カ所に雄ネジ部を有し、前記挿入孔の入口側の内周に前記後端側に向かって縮径するテーパ孔を形成すると共に、前記後端側の周囲には前記挿入孔に貫通する複数のスリットを形成してなり、
前記第１のチャック部は、それぞれが前記テーパ孔と同じ傾斜のテーパ状外曲面を有し、且つ、前記グリップの外表面に密着可能な円弧状内曲面を有する複数割りのくさび部材と、これらくさび部材を前記テーパ孔に嵌入可能に前記円筒状本体の入口側雄ネジ部に螺合する袋ナットとを備え、
前記第２のチャック部は、それぞれが先端を前記スリットに回動可能に枢支すると共に、前記挿入孔側の内面を歯面とする一方、反対側の外面には後端に向かって登り勾配となる傾斜面を前記スリットから露出して設けた複数の可動歯部材と、これら可動歯部材を前記傾斜面を介して前記挿入孔側に押圧可能に前記円筒状本体の後端側雄ネジ部に螺合するナットとを備えることを特徴としたゴルフ試打装置のグリップ構造。
【請求項２】
第１チャック部の袋ナットおよび第２チャック部のナットそれぞれの胴部周面に棒レンチのキー穴を設けた請求項１記載のゴルフ試打装置のグリップ構造。
【請求項３】
第１チャック部の袋ナットの胴部周面に、前記キー穴とは別に、前記胴部を貫通して前記棒レンチが前記袋ナットの雌ねじ口まで挿通可能な貫通孔を設けると共に、第１チャック部のくさび部材の外表面には前記貫通孔と連通して前記棒レンチが係合可能な周溝を設けた請求項２記載のゴルフ試打装置のグリップ構造。
【請求項４】
第１チャック部のくさび部材は半割状のものを二個一対備える請求項１、２または３記載のゴルフ試打装置のグリップ構造。
【請求項５】
第２チャック部の可動歯部材は、その歯面にグリップの長さ方向に沿って波状溝を形成してなる請求項１から４のうち何れか一項記載のゴルフ試打装置のグリップ構造。
【発明の詳細な説明】
【技術分野】
【０００１】
この発明は、ゴルフクラブ等の性能評価のために、テストスイング（試打）を機械的に実行するゴルフ試打装置において、ゴルフクラブを前記ゴルフ試打装置に固定するグリップ構造に関する。
【背景技術】
【０００２】
ゴルフクラブやゴルフボールの性能を評価するために、実際に、そのクラブやボールを使ってテストスイングを機械的に実行するゴルフ試打装置が特許文献１〜４によって公知である。これら公知の装置は、単にゴルフボールを打つだけでなく、より人間に近いスイングをするよう設計されている。
【０００３】
具体的には、特許文献１・２のものは、人間の腕に相当する第１アームと、リスト（手）に相当する第２アームとによってスイングアーム機構を構成し、これらアームを同方向に連動して回転させつつ、回転軸の位置を異にすると共に、それぞれ別の駆動用モータにより回転角度や回転速度を独立的に制御することによって、多様なクラブ旋回軌跡パターンを実行可能としている。また、第２アームにクラブ軸（シャフト軸）を回転軸とする捻回機構を設け、これを更に別の駆動用モータで回転させることで、手首の返しを模したスイングを可能としている。
【０００４】
さらに、特許文献３に示されるゴルフ試打装置は、腰に相当する装置胴体の一部に回転駆動部を設け、該回転駆動部をオシレーティングドライブ等によって往復回転させ、ゴルフクラブのトルクを測定するものである。
【０００５】
特許文献４は、特許文献１・２の構成に加え、特許文献３と同様、腰の振りを擬似的に行う打力補助機構を備えたゴルフ試打装置を本出願人によって開示している。
【０００６】
一方、特許文献５は、ゴルフ試打装置におけるクラブ把持装置を開示する。この把持装置は、樋型溝を有する一対の保持具を備え、これら保持具を合体させることにより、ゴルフクラブのグリップ外形と相似形の貫通孔を形成するもので、グリップを前記貫通孔に収容した後、グリップエンドを押し込むことで、貫通孔の内壁に外表面を圧接させた状態でグリップを把持するものである。
【先行技術文献】
【特許文献】
【０００７】
【特許文献１】特開平９−１４９９５８号公報
【特許文献２】特許第３２８５４８４号掲載公報
【特許文献３】特開２００１−２９５１６号公報
【特許文献４】特開２００７−７３００３号公報
【特許文献５】特開平１１−１６９５０１号公報
【発明の概要】
【発明が解決しようとする課題】
【０００８】
ところで、的確なスイングを行うにはゴルフクラブを正しく保持することが条件の一つであり、人間の場合は、両手や指の配置・曲げ・力加減をそれぞれ調整してグリップを把持する。もっとも、このような複雑な握り方を機械的に正確に再現することは困難であり、ゴルフ試打装置の目的からしても、そこまでは要求されない。
【０００９】
しかしながら、特許文献１〜４に示されるように、より人間に近いスイングを実行するゴルフ試打装置の開発が進んでいることに鑑みれば、グリッピング手段についても、できるだけ人間の握り方に近い態様とすることが好ましい。
【００１０】
この点、特許文献５に開示の装置は、一対の保持具によってグリップ外表面の全面を均等に保持するものであるが、これは人間のグリッピング態様と大きく異なる。即ち、人間は両手でグリップの上下２カ所を保持するのに対して、特許文献５のものは合体した保持具でグリップ全体または一箇所を保持する点、人間は左右の手や指ごとに力加減を調整してグリップを保持するのに対して、特許文献５のものはグリップ外表面を均等に把持する、いわゆるベタ握りとなる点が大きく相違する。そして、人間の場合は、スイング時にグリップに手や指の力に応じた局部的な変形や応力集中が発生するが、特許文献５の把持装置では、こうした局部的な変形・応力集中がないとされている。従って、ゴルフ試打装置に特許文献５の把持装置を適用してテストスイングを行った場合、特に、特許文献１〜４のように手首の返しや腰の振りに相当する動きを行うゴルフ試打装置に適用した場合、グリップには人間がスイングしたときとは全く違う変形や応力が発生することになるため、人間が使用することを前提に設計されたゴルフクラブやグリップの性能評価を正確に行うことができない可能性がある。
【００１１】
本発明は上述した課題を解決するためのもので、その目的とするところは、グリップの２カ所を異なったチャック構造により保持するゴルフ試打装置のグリップ構造を提供することである。
【課題を解決するための手段】
【００１２】
上述した目的を達成するために本発明では、円筒状本体にゴルフクラブのグリップを挿入し、前記円筒状本体の長さ方向２カ所に設けた第１および第２のチャック部で前記グリップを保持することを前提とする。そのうえで、前記円筒状本体は、中心に前記グリップが抜き差し可能な挿入孔を有すると共に、この挿入孔の入口側、およびその後端側の外周面２カ所に雄ネジ部を有し、前記挿入孔の入口側の内周に前記後端側に向かって縮径するテーパ孔を形成すると共に、前記後端側の周囲には前記挿入孔に貫通する複数のスリットを形成してなる。
【００１３】
そして、前記第１のチャック部は、それぞれが前記テーパ孔と同じ傾斜のテーパ状外曲面を有し、且つ、前記グリップの外表面に密着可能な円弧状内曲面を有する複数割りのくさび部材と、これらくさび部材を前記テーパ孔に嵌入しながら前記円筒状本体の入口側雄ネジ部に螺合可能な袋ナットとを備える。
【００１４】
一方、前記第２のチャック部は、それぞれが先端を前記スリットに回動可能に枢支すると共に、前記挿入孔側の内面を歯面とする一方、反対側の外面には後端に向かって登り勾配となる傾斜面を前記スリットから露出して設けた複数の可動歯部材と、これら可動歯部材を前記傾斜面を介して前記挿入孔側に押圧しながら前記円筒状本体の後端側雄ネジ部に螺合可能なナットとを備える。
【００１５】
このように本発明では、グリップの先端側をくさび部材（コレット部材）で構成した第１のチャック部により保持し、その後端側を可動歯部材（ジョー部材）で構成した第２のチャック部で保持するため、人間が両手でグリップの２カ所を保持することと技術的に類似する。何れのチャック部も各部材がナットの締め込みに伴うテーパ作用によって内面をグリップに圧着させ、挿入孔からグリップの抜け出しを防止するが、それぞれの圧着面積や圧着力は相違するため、これも人間が左右の手や指ごとの力を変えてグリップを持つことと技術的に類似する。
【００１６】
また、本発明では、袋ナットおよびナットそれぞれの胴部周面に棒レンチのキー穴を設ける。この手段は、袋ナットやナットの最終締め込みを手締めではなく、棒レンチを用いることによって、より強い締め込みを行うことを想定している。棒レンチによる締め込みによって、第１のチャック部についてはくさび部材が円筒状本体のテーパ孔により深く嵌入され、また、第２のチャック部については可動歯部材への押圧力が増すことで、各チャック部のグリップ部に対する圧着を確実かつ強くする。
【００１７】
逆に、このように強い締め込みを行うと、特に第１のチャック部については、グリップを円筒状本体から抜き出そうとするとき、袋ナットを緩めてもくさび部材がテーパ孔から外せない事態が想定される。これはくさび部材がグリップとテーパ孔の間に強固に保持されるからであり、圧着力を高めればグリップの弾性反発力も大きくなるからである。そこで、本発明では、第１チャック部の袋ナットを棒レンチで締め込む場合は、さらに袋ナットの胴部周面に、前記キー穴とは別に、前記胴部を貫通して前記棒レンチが前記袋ナットの雌ねじ口まで挿通可能な貫通孔を設けると共に、くさび部材の外表面には前記貫通孔と連通して前記棒レンチが係合可能な周溝を設けるという手段を採用する。
【００１８】
この手段によれば、棒レンチを貫通孔を通じてくさび部材の周溝に係合させることで、袋ナットを緩めると同時にくさび部材に抜き出し方向の力が作用する。これによって、例えば袋ナットをほんの数度回転させるだけで、くさび部材の一つが引き抜き方向に移動するから、簡単にテーパ孔との密着を解除することができる。
【００１９】
なお、くさび部材は、円筒状ソケットを複数分割した態様のものであるが、分割数は２とすることが好ましい。このように半割状のものを二個一対備えることで、くさび部材をグリップに装着する作業が楽になる。
【００２０】
一方、第２チャック部において、可動歯部材の歯面はグリップの滑りを防止するものであるが、この歯面にグリップの長さ方向に沿って波状溝を形成することで、滑り防止効果をより高めることができる。
【発明の効果】
【００２１】
本発明によれば、ゴルフクラブのグリップの２カ所を第１・第２のチャック部で保持するようにしたので、人間がグリップを両手で握ることに類似し、特許文献１〜４のように人間に近いスイングをするよう設計されたゴルフ試打装置に適用することで、人間がスイングしたときに近い、より正確なテスト結果が得られる。また、袋ナットやナットの最終締め込みを棒レンチで行うため、グリップをより確実に保持することができる。さらに、棒レンチによる締め込みによってくさび部材が円筒状本体のテーパ孔から抜け出しにくくなった場合でも、棒レンチを袋ナットの貫通孔に挿入して緩めることで、くさび部材を簡単にテーパ孔から抜き出すことができる。また、半割状のくさび部材を二個一対備えることで、グリップへの装着が容易になる。さらに、可動歯部材の歯面に波状溝を設けることで、グリップの表面が波状溝に食い込み、グリップの抜けと回転を確実に防止することができる。
【図面の簡単な説明】
【００２２】
【図１】本発明の一実施形態を示したグリップ構造の分解図
【図２】同グリップ構造の準備段階を示した説明図
【図３】同グリップ構造の第１チャック部の最終締め込み態様を示した説明図
【図４】同グリップ構造の第２チャック部の最終締め込み態様を示した説明図
【図５】可動歯部材の歯面形状を示した説明図
【図６】第１チャック部の解除態様を示した説明図
【発明を実施するための形態】
【００２３】
以下、本発明の好ましい実施の形態を添付した図面に従って説明する。図１は、本発明のグリップ構造の分解図であり、１０は円筒状本体、２０は円筒状本体１０の先端側に設けた第１のチャック部、３０は円筒状本体１０の第１のチャック部２０よりも後端側に設けた第２のチャック部である。
【００２４】
円筒状本体１０は、ゴルフ試打装置のスイングアーム（図示せず）に取付けられるもので、中心には挿入孔１１を設けている。この挿入孔１１はゴルフクラブのグリップＧが抜き差し可能な径とし、好ましくは奥端側に底壁１２を設けて、グリップＧの過剰な差込みを規制する。
【００２５】
さらに、円筒状本体１０の外周面には長さ方向２カ所に雄ネジ部１３・１４を設けている。挿入孔１１の入口側の雄ネジ部１３は第１チャック部２０に対応するものであり、さらに、挿入孔１１の入口側内周に奥端側に向かって縮径するテーパ孔１５を形成している。一方、後端側の雄ネジ部１４は第２チャック部３０に対応するものであり、さらに、この部分には挿入孔１１まで貫通する、長手方向に沿った長孔状のスリット１６を円筒状本体１０の周囲に等間隔で設けている。この実施形態では、１２０度間隔で３つのスリット１６を設けている。
【００２６】
次に、第１のチャック部２０は、半割状のくさび部材２１を二個一対と、円筒状本体１０の入口側雄ネジ部１３に螺合する袋ナット２２とからなる。くさび部材２１は、円筒状本体１０のテーパ孔１５の内周形状と一致する同じ傾斜のテーパ状外曲面２１ａを有すると共に、内面にはグリップＧの外表面と形状および傾斜角度が一致する円弧状内曲面２１ｂを形成している。従って、くさび部材２１はグリップＧに密着した状態で装着することができる。
【００２７】
これに対して、袋ナット２２は、内部に円筒状本体１０の入口側雄ネジ部１３と螺合する雌ネジ孔２２ａを有し、その一端面に内向きのフランジ２２ｂを形成している。従って、袋ナット２２を締め込めば、フランジ２２ｂがグリップＧに装着したくさび部材２１の先端と当接して、くさび部材２１をテーパ孔１５内に押し込むことができる。
【００２８】
さらに、本実施形態では、袋ナット２２の最終締め込みを棒レンチＷで行うように、胴部２２ｃの外周面に棒レンチＷのキー穴２２ｄを設けている。これに加えて、袋ナット２２の胴部２２ｃの外周面先端側には、キー穴２２ｄとは別に、雌ネジ孔２２ａまで貫通して棒レンチＷが挿通する貫通孔２２ｅを設けている。この貫通孔２２ｅに対応して、くさび部材２１の先端側には棒レンチＷが係合可能な周溝２１ｃを設けている。
【００２９】
続いて、第２のチャック部３０は、可動歯部材３１とナット３２とからなる。可動歯部材３１は、円筒状本体１０のスリット１６に先端３１ａを枢支して回動するものであり、挿入孔１１側の内面を歯面３１ｂとして、その反対側の外面には水平面３１ｃと連続して後端に向かって登り勾配となる傾斜面３１ｄを設けている。この構成において、グリップＧを挿入孔１１に挿入した状態では、前記水平面３１ｃはスリット１６内に位置する一方、傾斜面３１ｄはスリット１６から外方に露出する。
【００３０】
これに対して、ナット３２は、円筒状本体１０の後端側雄ネジ部１４と螺合するもので、このナット３２を締め込むことで、その後端面が可動歯部材３１の傾斜面３１ｄにすすみ、結果、可動歯部材３１を挿入孔１１（グリップＧ）に向かって押圧する。なお、３３は、ナット３２と可動歯部材３１の間で円筒状本体１０に挿通したサポートリングであり、ナット３２を締め込んだ際、可動歯部材３１を実際に押圧する部材である。また、この実施形態では、ナット３２の胴部３２ａの外周面に、第１チャック部２０における袋ナット２２と同様に、棒レンチＷのキー穴３２ｂを設けている。さらに、この実施形態では、可動歯部材３１の後端に下向きに突出する鉤部３１ｅを設けると共に、スリット１６の後端には前記鉤部３１ｅを収容する底１６ａ付きの収容部１６ｂを設けており、ナット３２の締め込みによる可動歯部材３１の押し込みを鉤部３１ｅが収容部１６ｂの底１６ａに当接させることで規制し、可動歯部材３１の過剰な押し込みを防止している。
【００３１】
次に、上記構成のグリップ構造の使用方法を説明すると、まず準備として、図２に示したように、第１チャック部２０の袋ナット２２をグリップＧに挿通しておき、その後、一対のくさび部材２１を前後向きを確認してグリップＧに冠せるようにして装着する。装着は、手でくさび部材２１をグリップＧの先端側にあてがうようにして行う。一方、第２チャック部３０のナット３２およびサポートリング３３は、予め円筒状本体１０に挿通しておき、より好ましくは、ナット３２を雄ネジ部１４に浅く螺合しておく。こうすることでナット３２およびサポートリング３３の脱落が防止される。
【００３２】
前記準備後は、グリップＧをくさび部材２１・２１と共に円筒状本体１０の挿入孔１１に差込み、第１・第２チャック部２０・３０の袋ナット２２・ナット３２を締め込むことで作業を完了する。締め込み順は第１チャック部２０の袋ナット２２、第２チャック部３０のナット３２の順に行う。また、締め込み当初は手締めにより行い、最終締め込みを棒レンチＷにより行う。
【００３３】
図３は、第１チャック部２０の最終締め込み態様を示したもので、袋ナット２２を締め込むにつれ、グリップＧに装着したくさび部材２１が円筒状本体１０のテーパ孔１５に深く嵌入され、この嵌入深さに応じてくさび部材２１のグリップＧに対する圧着力が高まる。締め込み最大トルクは、グリップＧの種類（太さ・素材の弾力）によって変えることができる。このようにして最終締め込みを行った状態では、くさび部材２１は袋ナット２２によって抜け方向の移動が規制されると共に、くさび部材２１の外面と内面は逆テーパとなっているため、テストスイング時にグリップＧへの圧着力が変わることがなく、長時間または多数回のテストスイングを行っても、グリップＧを強固に保持し続けることができる。
【００３４】
図４は、第２チャック部３０の最終締め込み態様を示したもので、ナット３２を締め込むにつれ、ナット３２がサポートリング３３を後端側に移動させ、このサポートリング３３が可動歯部材３１の傾斜面３１ｄにすすむことで、この傾斜面３１ｄを介して可動歯部材３１を挿入孔１１側に強く押し込み、その結果、可動歯部材３１の歯面３１ｂのグリップＧに対する圧着力が高まる。このナット３２の締め込み最大トルクについても、グリップＧの種類によって調整する。
【００３５】
なお、可動歯部材３１の歯面３１ｂの形状は平滑であっても、凹凸であってもよいが、より好ましくは、図５に示したように、グリップＧの軸方向に沿った波状溝３１ｆを刻設する。この場合、波状溝３１ｆにグリップＧの表面が食い込み、グリップＧの抜け方向と回転方向の双方を同時に規制するため、より強固にグリップＧを保持することができる。
【００３６】
このように本実施形態のグリップ構造によれば、グリップＧの長手方向２カ所を第１・第２のチャック部２０・３０で保持し、且つ、それぞれのチャック部２０・３０は異なるチャッキング態様および圧着力によってグリップＧを保持するため、人間が両手でグリップの長手方向２カ所を握り、且つ、左右の手や指ごとに握る力を異にしてグリップを保持する態様を機械的に再現したものとなる。従って、本発明のグリップ構造を特許文献１〜４のゴルフ試打装置に適用すれば、人間がテストスイングしたときと近似したテスト結果が得られる。
【００３７】
また、テストスイングの終了時やクラブの付け替え時には袋ナット２２およびナット３２を緩めるだけでくさび部材２１・可動歯部材３１ともグリップＧのチャッキングを解除することができる。ただし、くさび部材２１に関しては、特にレンチで袋ナット２２を締め込んだ場合、袋ナット２２を取り外し、くさび部材２１を手でテーパ孔１５から引き抜こうとしても、きつくテーパ孔１５に嵌入して抜き出せないことが多い。このため、図６に示すように、棒レンチＷを袋ナット２２の貫通孔２２ｅに差し込み、その端部をくさび部材２１の周溝２１ｃに係合させた状態にして、袋ナット２２を緩め方向に回す。こうすることで、袋ナット２２の移動と共に、棒レンチＷが係合する一方のくさび部材２１も引き抜き方向に移動させることができる。そして、一方のくさび部材２１が抜け方向に移動することによって、一対のくさび部材２１間のグリップＧに対する圧着力とテーパ孔１５に対する嵌入力が同時に急激に弱まるため、以降は、簡単にくさび部材２１・２１を手で引き抜くことができるようになる。
【符号の説明】
【００３８】
Ｇ  グリップ
Ｗ  棒レンチ
１０  円筒状本体
１１  挿入孔
１３・１４  雄ネジ部
１５  テーパ孔
１６  スリット
２０  第１チャック部
２１  くさび部材
２１ａ  テーパ状外曲面
２１ｂ  円弧状内曲面
２２  袋ナット
２２ｄ  キー穴
２２ｅ  貫通孔
３０  第２チャック部
３１  可動歯部材
３１ｂ  歯面
３１ｄ  傾斜面
３２  ナット
３３  サポートリング
【図１】
0005591593.tif 000002
【図２】
0005591593.tif 000003
【図３】
0005591593.tif 000004
【図４】
0005591593.tif 000005
【図５】
0005591593.tif 000006
【図６】
0005591593.tif 000007